【事件の表示】
　特願２０１０−２７３３５７号「パチンコ遊技機の島設備」拒絶査定不服審判事件〔平成２４年６月２８日出願公開、特開２０１２−１２０６７２号〕について、次のとおり審決する。
【結　論】
　本件審判の請求は、成り立たない。
【理　由】
１　手続の経緯の概要
　本願は、平成２２年１２月８日の出願であって、平成２６年９月１２日付けで拒絶の理由が通知され、同年１１月１４日に意見書及び手続補正書が提出されところ、平成２７年４月２０日付けで拒絶査定がなされ（発送日：同年５月７日）、それに対し、同年７月２３日に拒絶査定不服審判の請求がなされると同時に手続補正書が提出されたものである。
　そして、当審にて平成２８年５月２６日付けで拒絶理由を通知したところ、同年７月２８日に意見書及び手続補正書が提出され、さらに、当審にて同年８月２３日付けで拒絶理由を通知したところ、同年１０月２７日に意見書及び手続補正書が提出されたものである。
　
２　本願発明
　本願の請求項１〜３に係る発明は、平成２８年１０月２７日付け手続補正書により補正された特許請求の範囲の請求項１〜３に記載された事項により特定されるところ、請求項１に係る発明（以下「本願発明」という。）は、次のとおりのものである。
　「パチンコ遊技機が複数並列に設置されたパチンコ遊技機の島設備であって、
　島設備を構成するフレーム上に配設されるとともに、揚送手段により揚送されて各パチンコ遊技機に対して補給すべき遊技球を貯留可能な上部タンクと、
　該上部タンクと所定寸法離間して前記島設備のフレーム上に配設され、各パチンコ遊技機に対して補給すべき遊技球を貯留可能な補助タンクと、
　前記上部タンクと補助タンクとに跨って同一の島設備のフレームの上方で略水平に延設された遊技球の径より若干大きな内径のパイプから成り、当該上部タンク内の遊技球を補助タンクまで流通可能な流通路と、
　上部タンク内に配設されるとともに、前記流通路で流通させる遊技球に対し、前記補助タンクに向かって力を付与する駆動手段と、
　前記上部タンク及び補助タンクからそれぞれ所定角度傾斜しつつ延設され、当該上部タンク及び補助タンクにて貯留された遊技球を自重にて流通させつつ各パチンコ遊技機に補給し得る補給樋と、
を具備するとともに、前記流通路は、前記上部タンクの上端より低い位置、且つ、前記島設備のフレームの上端より高い位置に配設され、内周壁面に遊技球の転がり抵抗を低減する加工が施されて成ることを特徴とするパチンコ遊技機の島設備。」
　
３　当審の平成２８年８月２３日付け拒絶理由の概要
　当審の平成２８年８月２３日付け拒絶理由の概要は、次のとおりである。
　
　本願の請求項１〜３に係る発明は、その出願前日本国内において頒布された特開２００５−２３７７５３号公報（以下「刊行物１」という。）及び特開２０００−２１８０２１号公報（以下「刊行物２」という。）に記載された発明に基いて、その出願前にその発明の属する技術の分野における通常の知識を有する者が容易に発明をすることができたものであるから、特許法第２９条第２項の規定により特許を受けることができない。
　
４　刊行物に記載された発明
（１）刊行物１
　当審による拒絶理由において刊行物として提示された上記刊行物１（特開２００５−２３７７５３号公報）には、図面と共に次の事項が記載されている（下線は審決にて付した。）。
　　ア　「【特許請求の範囲】
【請求項１】
複数台のパチンコ遊技機及び玉貸出機と、上部タンクを設けた玉揚送装置と、を備えた遊技島において、
前記遊技島上方に、前記玉揚送装置で揚送したパチンコ玉を、玉揚送装置から近い位置に設置された各パチンコ遊技機に補給するための近隣補給経路と、
該近隣補給経路より上方位置に、前記近隣補給経路で補給し得るパチンコ遊技機より遠く離間したパチンコ遊技機に補給するための遠方補給経路を、
夫々上部タンクに接続して備えたことを特徴とする遊技島。
【請求項２】
前記遠方補給経路は、第１遠方補給樋と、遠方補給タンクと、第２遠方補給樋とで構成され、
前記第１遠方補給樋の上流側を前記上部タンクに接続し
所定量のパチンコ玉が貯留可能な遠方補給タンクを第１遠方補給樋の下流側に接続し
玉揚送装置によって揚送したパチンコ玉を第１遠方補給樋、遠方補給タンク
の順でパチンコ玉が流下するように構成した
【請求項３】
パチンコ玉を貯留する下部貯留タンクと、パチンコ玉を回収する回収樋と、前記下部貯留タンクに貯留されたパチンコ玉を回収樋に流出させるための玉排出装置を備え、前記上部タンクには上部タンク内の玉量を検知する上部玉量検知手段を備え、前記遠方補給経路には遠方補給経路内の玉量を検知する遠方補給玉量検知手段を備え、前記玉排出装置は、前記上部タンク内の玉量が下限に達した時、又は、前記遠方補給経路内の玉量が下限に達した時、の何れか一方の場合にパチンコ玉を下部貯留タンクから回収樋に流出させるよう制御することを特徴とする請求項１または２記載の遊技島。」
　
　　イ　「【技術分野】
【０００１】
　本発明は、複数台のパチンコ遊技機を列設した遊技島内で、パチンコ遊技機から排出された
パチンコ玉を
各パチンコ遊技機に補給する
遊技島に関する
　
　　ウ　「【発明が解決しようとする課題】
【０００５】
　しかし、上記文献のパチンコ島台は、上記した以外にも複数のテンションローラやベルト支持部材を設けてあるなど、多くの部品によって複雑に構成されているため、施工に時間を要する上に、コストアップにも繋がっている。また、大掛かりな装置を駆動モータによって駆動させているために、可動部には大きな負担がかかり、故障して補給ができなくなるなどの不具合が生じる恐れがあった。
【０００６】
本発明は、以上の点に鑑みなされたもので、遊技島全体の高さを変えることなく、簡易な構成により、遊技島を長大に形成する事が可能な遊技島を提供する事を目的とする。
・・・
【発明の効果】
【００１０】
以上のように本発明の構成によれば、遊技島上方に、玉揚送装置で揚送したパチンコ玉を、玉揚送装置から近い位置に設置された各パチンコ遊技機に補給するための近隣補給経路と、
近隣補給経路とより上方位置に、近隣補給経路で補給し得るパチンコ遊技機より遠く離間したパチンコ遊技機に補給するための遠方補給経路を、夫々上部タンクに接続して備えた構成とすることにより、
長大な遊技島においても、
遊技島全体の高さを高くする事なく各パチンコ遊技機及び玉貸出機にパチンコ玉の補給を行うことができる
　
　　エ　「【実施例１】
【００１４】
以下、本発明の第１の実施例を、図面に従って説明する。図１は、本発明の第１の実施例にかかる遊技島１０を示す正面図である。図１には主に中央付近の玉揚送装置１４より一方側（右側半分）のみを図示しており、他方側（左側半分）にも同様構成が備えられているが、図は略されている。
【００１５】
先ず、遊技島１０の大略を説明する。
遊技島１０には複数台のパチンコ遊技機１２及び玉貸出機１３が列設されている
遊技島１０上方にはパチンコ玉を一時貯留する上部タンク２０が設けられ
玉揚送装置１４によって揚送されたパチンコ玉のうちの一部を上部タンク２０に貯留し、残りのパチンコ玉は貯留することなく
遠方補給経路４０へ直接流下するように分岐路
が上部タンク２０内部に形成されている
【００１６】
上部タンク２０内に貯留されたパチンコ玉は
上部タンク２０の下部から遊技島１０の島端の方向に下向きに傾斜して形成された近隣補給樋３０
自然に流下し
各パチンコ遊技機１２ａ及び各玉貸出機１３ａに補給される
【００１７】
遊技島１０下方には排出されたパチンコ玉を回収する回収樋１６が、玉揚送装置１４に向かって下向きの傾斜状に設けられている。遊技島１０中央付近には回収したパチンコ玉を揚送する玉揚送装置１４（例えば布磨き揚送装置）が備えられ、遊技島１０の上方の上部タンク２０に揚送する。  
【００１８】
また、上部タンク２０には、オーバーフロー樋１８が接続され、上部タンク２０にて余剰したパチンコ玉を遊技島内の下部に設けた下部貯留タンク１５に貯留される。下部貯留タンク１５は多量のパチンコ玉を貯留させておく長さを有した略長方形状に形成されている。  
【００１９】
遊技島内の下部貯留タンク１５の玉揚送装置１４寄りの位置には、玉排出装置５０が下部貯留タンク１５に隣接して設けられている。この玉排出装置５０が駆動すると、下部貯留タンク１５内のパチンコ玉が回収樋１６へと揚送されて排出され、玉揚送装置１４にて揚送され、上部タンク内２０にて一時貯留される。このように下部貯留タンク１５内の下方寄りに貯留しているパチンコ玉を順次玉排出装置５０によって持ち上げて放出する事ができるようにしている。
【００２０】
次に本発明の要旨にかかる、遠方補給経路４０について説明する。
遠方補給経路４０は、第１遠方補給樋４２、遠方補給タンク４６、第２遠方補給樋４４で構成される
第１遠方補給樋４２は、上部タンク２０の上部から
遊技島１０の島端の方向に下向きに傾斜したЦ樋状から形成される
遠方補給タンク４６の一方側の側壁の開口にて、第１遠方補給樋４２と接続されている
第２遠方補給樋４４は
遠方補給タンク４６
遠く離間した複数台のパチンコ遊技機１２ｂ及び玉貸出機１３ｂに
パチンコ玉を補給する
【００２１】
次に本発明の構成による、遠く離間したパチンコ遊技機１２ｂへのパチンコ玉の補給の作用を説明する。前述したように玉揚送装置１４によって揚送されたパチンコ玉の一部は上部タンク２０に貯留され、残りの玉は分岐路（不図示）を介して、上部タンク２０に貯留することなく第１遠方補給樋４２へ直接流下する。第１遠方補給樋４２の下流側には遠方補給タンク４６が設けられ、
第１遠方補給樋４２から流下した玉を貯留することができる。遠方補給タンク４６内に貯留されたパチンコ玉は、遠方補給タンク４６の下部から下向きに傾斜して形成された第２遠方補給樋４４に沿って自然に流下し
各パチンコ遊技機１２ｂ及び各玉貸出機１３ｂに補給される
　
　　オ　上記エの【００１５】の「
遊技島１０上方にはパチンコ玉を一時貯留する上部タンク２０が設けられ
上部タンク２０が遊技島１０上方の遊技島１０を構成する枠上面に設けられている
　
　　カ　同じく、【図１】の内容から、刊行物１には、
遠方補給タンク４６が遊技島１０を構成する枠上部に設けられている
　
　　キ　上記エの「
第１遠方補給樋４２は、上部タンク２０の上部から
上部タンク２０の上部
　したがって、上記エの【００２０】の記載内容、及び、【図１】の内容から、刊行物１には、
第１遠方補給樋４２が、上部タンク２０の上端より低い位置、且つ、遊技島１０を構成する枠上面より上方に設けられている
　
　また、上記エの「
遊技島１０上方にはパチンコ玉を一時貯留する上部タンク２０が設けられ
玉揚送装置１４によって揚送されたパチンコ玉のうちの一部を上部タンク２０に貯留し、残りのパチンコ玉は貯留することなく
遠方補給経路４０へ直接流下するように分岐路
が上部タンク２０内部に形成されている
遠方補給経路４０は、第１遠方補給樋４２、遠方補給タンク４６
で構成される
遠方補給タンク４６の一方側の側壁の開口にて、第１遠方補給樋４２と接続されている
第１遠方補給樋４２が、玉揚送装置１４によって上部タンク２０内に揚送されたパチンコ玉を上部タンク２０内部に設けられた分岐路を介して、遠方補給タンク４６へ流下させる
　
　　ク　上記ア〜エの記載事項、及び、上記オ〜キの認定事項から、刊行物１には以下の発明（以下「刊行物発明」という。）が記載されていると認められる。
「複数台のパチンコ遊技機１２及び玉貸出機１３が列設されている遊技島１０（【００１５】）において、
　遊技島１０上方の遊技島１０を構成する枠上面に設けられるとともに、玉揚送装置１４によって揚送されて、各パチンコ遊技機１２ａ及び各玉貸出機１３ａに補給されるパチンコ玉を一時貯留する上部タンク２０（【００１５】、【００１６】、認定事項オ）と、
　遊技島１０を構成する枠上部に設けられ、貯留したパチンコ玉を遠く離間した複数台のパチンコ遊技機１２ｂ及び玉貸出機１３ｂに補給する遠方補給タンク４６（【請求項２】、【００２０】、認定事項カ）と、
　上流側が上部タンク２０に接続され、下流側が遠方補給タンク４６に接続され、上部タンク２０の上端より低い位置、且つ、遊技島１０を構成する枠上面より上方に設けられ、玉揚送装置１４によって上部タンク２０内に揚送されたパチンコ玉を上部タンク２０内部に設けられた分岐路を介して、遠方補給タンク４６へ流下させる第１遠方補給樋４２（【請求項２】、【００１５】、【００２０】、認定事項キ）と、
　上部タンク２０の下部から遊技島１０の島端の方向に下向きに傾斜して形成され、上部タンク２０内に貯留されたパチンコ玉を自然に流下させ、各パチンコ遊技機１２ａ及び各玉貸出機１３ａに補給する近隣補給樋３０（【００１６】）と、遠方補給タンク４６の下部から下向きに傾斜して形成され、遠方補給タンク４６内に貯留されたパチンコ玉を自然に流下させ、各パチンコ遊技機１２ｂ及び各玉貸出機１３ｂに補給する第２遠方補給樋４４（【００２１】）と
　を備える遊技島１０。」
　
（２）刊行物２
　同じく、当審による拒絶理由において刊行物として提示された上記刊行物２（特開２０００−２１８０２１号公報）には、図面と共に次の事項が記載されている。
　　ア　「【特許請求の範囲】
【請求項１】玉保有量の多い設置島から玉保有量の少ない設置島へ玉を移送するための移送装置を備えたパチンコ遊技機の設置島において、各設置島の上部タンクの近傍に、この上部タンク内の玉を揚送するための玉揚送機を設置するとともに、この
玉揚送機により揚送される玉を移送するために玉揚送機に連接されたフレキシブル管を
隣接する設置島まで延ばした
パチンコ遊技機の設置島
　
　　イ　「【０００１】
【発明の属する技術分野】本発明は、玉保有量を常時平均化するための
移送装置を備えたパチンコ遊技機の設置島に関する
　
　　ウ　「【０００８】
【発明の実施の形態】以下に本発明の好ましい実施形態を示す。図１は本発明の設置島の全体を示す斜視図であり、１は複数台のパチンコ遊技機を一定間隔で配置した設置島であり、パチンコホール内に所定間隔で配置されている。また
２は、隣接する設置島１、１間の上部に架け渡された移送装置である
【０００９】図２に示すように、各設置島１の上部には上部タンク３が設けられており、その両側から傾斜させた玉供給樋４を介して島内の各パチンコ遊技機及び玉貸し機に玉を供給している。また各パチンコ遊技機からの回収玉は玉回収樋５によって腰下部に集められ、図示しない玉研磨装置や異物除去装置を経由したうえ、玉揚送機構６によって上部タンク３の上端まで揚送されている。このほか、各設置島１の腰下部には図示しない玉プールタンクが設置されており、多量の玉を保有している。しかし特定の設置島１に出玉が集中したような場合には、その設置島１内の玉保有量が少なくなるため、隣接する設置島１から玉を移送することにより、各設置島１の玉保有量を常時平均化する必要がある。
【００１０】このために本発明では、図３、図４に示すように
各設置島１の上部に上部タンク３を設置するとともに、その近傍に一対の玉揚送機７を設置してある
玉揚送機７は
スプロケット９をモータにより
回転させることによって
玉は
連接されたフレキシブル管１０の内部を一列になって揚送されていく
移送能力を高める
【００１１】図３に示すように、
玉揚送機７の上部に連接されたフレキシブル管１０は上部タンク３の上端まで立ち上がり
【００１２】図３に示すように、隣接する設置島１、１間に架け渡された移送装置２は、両方向に玉を移送できるように２系統のフレキシブル管１０を備えている。前記したように、各系統のフレキシブル管１０は並列な複数本からなる。図７に示すように、移送装置２の樋状のカバー枠１３内に２系統のフレキシブル管１０を上下２段に配置し、一束にまとめて収納しておくことが好ましい。
【００１３】このように構成された本発明では、設置島１内の玉保有量が減少した場合には、隣接する設置島１の玉揚送機７を動かし、隣接する設置島１の上部タンク３内の玉をフレキシブル管１０を通じて玉保有量が減少した設置島１の上部タンク３に移送することができる。このような玉の移送は玉揚送機７に連接されたフレキシブル管１０を通じて行われるため、フレキシブル管１０の設置高さは自由に設定することができる。従来のコンベヤ式の移送装置は上部タンクよりも低い位置に設置せざるを得なかったのであるが、本発明ではフレキシブル管１０を収納するための移送装置２を従来よりも高い位置とすることができ、天井裏に設置することさえも可能である。従って本発明によれば移送装置２が目立たなくなり、パチンコホールの館内の見栄えを良くすることができる。なお上部タンク３に入った玉は従来と同様に、玉供給樋４を介して島内の各パチンコ遊技機等に供給される。」
　
　　エ　上記アの【請求項１】の「
フレキシブル管を
隣接する設置島まで延ばした
フレキシブル管１０が隣接する上部タンク３間に水平方向に連接される
　
　　オ　上記アの【請求項１】の「・・・この玉揚送機により揚送される
玉を移送する
フレキシブル管
フレキシブル管１０が玉を一方の上部タンク３から隣接する上部タンク３まで移送する
　
　　カ　上記ウの【００１０】の「各設置島１の上部に
上部タンク３を設置するとともに、その近傍に一対の玉揚送機７を設置してある
スプロケット９をモータにより
回転させることによって
玉は
連接されたフレキシブル管１０の内部を一列になって揚送されていく
ケース内部に上部タンク３と一体に設置され、フレキシブル管１０の内部の玉をスプロケット９を回転させることによって、一列になって揚送するモータを備える
　
　　キ　上記ア〜ウの記載事項、及び、上記エ〜カの認定事項から、刊行物２には次の技術事項（以下「刊行物２に記載された技術事項」という。）が記載されていると認められる。
　「各々の上部に上部タンク３を設置したパチンコ遊技機の設置島１において、
　隣接する上部タンク３間に水平方向に連接し、玉を一方の上部タンク３から隣接する上部タンク３まで移送するフレキシブル管１０と、
　ケース内部に上部タンク３と一体に設置され、フレキシブル管１０の内部の玉を、スプロケット９を回転させることによって一列になって揚送するモータとを備え、
　フレキシブル管１０は、玉揚送機７に連接され、上部タンク３の上端まで立ち上がるパチンコ遊技機の設置島１。」
　
５　対比
　本願発明と刊行物発明とを対比する。
　ア　刊行物発明における「遊技島１０」は、「複数台のパチンコ遊技機１２及び玉貸出機１３が列設されている」ものであるから、本願発明の「「パチンコ遊技機が複数並列に設置されたパチンコ遊技機の島設備」に相当する。
　
　イ　刊行物発明における「上部タンク２０」と、本願発明における「上部タンク」とを対比する。
　刊行物発明における「遊技島１０上方の遊技島１０を構成する枠上面」、「玉揚送装置１４によって揚送されて、各パチンコ遊技機１２ａ及び各玉貸出機１３ａに補給されるパチンコ玉を一時貯留する」ことは、それぞれ、本願発明における「島設備を構成するフレーム上」、「揚送手段により揚送されて各パチンコ遊技機に対して補給すべき遊技球を貯留可能」なことに相当する。
　したがって、刊行物発明における「上部タンク２０」は、本願発明における「上部タンク」に相当する。
　
　ウ　刊行物発明における「遠方補給タンク４６」と、本願発明における「補助タンク」とを対比する。
　刊行物発明における「遠方補給タンク４６」は、上流側を上部タンク２０に接続した第１遠方補給樋４２の下流側に接続されることから、上部タンクとは第１遠方補給樋４２を間に介在させた状態で離間するものである。
　そして、刊行物発明における「遊技島１０を構成する枠上部に設けられ」ることは、本願発明における「島設備のフレーム上に配設され」ることに相当する。
　また、刊行物発明における「貯留したパチンコ玉を遠く離間した複数台のパチンコ遊技機１２ｂ及び玉貸出機１３ｂに補給する」ことは、本願発明における「各パチンコ遊技機に対して補給すべき遊技球を貯留可能な」ことに相当する。
　したがって、刊行物発明における「遠方補給タンク４６」は、本願発明における「補助タンク」に相当する。
　
　エ　刊行物発明における「上流側が上部タンク２０に接続され、下流側が遠方補給タンク４６に接続され、上部タンク２０の上端より低い位置、且つ、遊技島１０を構成する枠上面より上方に設けられ、玉揚送装置１４によって上部タンク２０内に揚送されたパチンコ玉を上部タンク２０内部に設けられた分岐路を介して、遠方補給タンク４６へ流下させる第１遠方補給樋４２」と、本願発明における「前記上部タンクと補助タンクとに跨って同一の島設備のフレームの上方で略水平に延設された遊技球の径より若干大きな内径のパイプから成り、当該上部タンク内の遊技球を補助タンクまで流通可能な流通路」とを対比する。
　
　刊行物発明における「遊技島１０を構成する枠上面より上方」は、本願発明における「同一の島設備のフレームの上方」に相当する。
　したがって、刊行物発明における「上流側が上部タンク２０に接続され、下流側が遠方補給タンク４６に接続され」、「遊技島１０を構成する枠上面より上方に設けられ」ることと、本願発明における「上部タンクと補助タンクとに跨って同一の島設備のフレームの上方で略水平に延設された」こととは、「上部タンクと補助タンクとに跨って同一の島設備のフレームの上方で延設された」ことで共通する。
　また、刊行物発明における「玉揚送装置１４によって上部タンク２０内に揚送されたパチンコ玉を」「遠方補給タンク４６へ流下させる第１遠方補給樋４２」は、本願発明における「上部タンク内の遊技球を補助タンクまで流通可能な流通路」に相当する。
　
　よって、刊行物発明における「第１遠方補給樋４２」と、本願発明における「流通路」とは、「上部タンクと補助タンクとに跨って同一の島設備のフレームの上方で延設され、遊技球を補助タンクまで流通可能な経路」である点で共通する。
　
　オ　刊行物発明における「下向きに傾斜して形成され」ることは、本願発明における「所定角度傾斜しつつ延設され」ることに相当する。
　そして、刊行物発明における「パチンコ玉を自然に流下させ、各パチンコ遊技機１２ａ及び各玉貸出機１３ａに補給する」ことは、本願発明における「遊技球を自重にて流通させつつ各パチンコ遊技機に補給し得る」ことに相当する。
　したがって、刊行物発明における「上部タンク２０の下部から遊技島１０の島端の方向に下向きに傾斜して形成され、上部タンク２０内に貯留されたパチンコ玉を自然に流下させ、各パチンコ遊技機１２ａ及び各玉貸出機１３ａに補給する近隣補給樋３０」と、「遠方補給タンク４６の下部から下向きに傾斜して形成され、遠方補給タンク４６内に貯留されたパチンコ玉を自然に流下させ、各パチンコ遊技機１２ｂ及び各玉貸出機１３ｂに補給する第２遠方補給樋４４」とは、本願発明における「上部タンク及び補助タンクからそれぞれ所定角度傾斜しつつ延設され、当該上部タンク及び補助タンクにて貯留された遊技球を自重にて流通させつつ各パチンコ遊技機に補給し得る補給樋」に相当する。
　
　カ　刊行物発明における「第１遠方補給樋４２」と、本願発明における「上部タンクの上端より低い位置、且つ、島設備のフレームの上端より高い位置に配設され、内周壁面に遊技球の転がり抵抗を低減する加工が施されて成る」「流通路」とを対比する。
　
　刊行物発明における「第１遠方補給樋４２」は、「上部タンク２０の上端より低い位置、且つ、遊技島１０を構成する枠上面より上方に設けられ」るものである。そして、ここでいう「上部タンク２０の上端より低い位置」は、本願発明における「上部タンクの上端より低い位置」に相当し、「遊技島１０を構成する枠上面より上方」は、本願発明における「島設備のフレームの上端より高い位置」に相当する。
　
　したがって、刊行物発明における「第１遠方補給樋４２」と、本願発明における「流通路」とは、「上部タンクの上端より低い位置、且つ、島設備のフレームの上端より高い位置に配設されて成る」「経路」であることで共通する。
　
　キ　上記ア〜カによれば、本願発明と刊行物発明とは、
　「パチンコ遊技機が複数並列に設置されたパチンコ遊技機の島設備であって、
　島設備を構成するフレーム上に配設されるとともに、揚送手段により揚送されて各パチンコ遊技機に対して補給すべき遊技球を貯留可能な上部タンクと、
　該上部タンクと所定寸法離間して前記島設備のフレーム上に配設され、各パチンコ遊技機に対して補給すべき遊技球を貯留可能な補助タンクと、
　前記上部タンクと補助タンクとに跨って同一の島設備のフレームの上方で延設され、当該上部タンク内の遊技球を補助タンクまで流通可能な経路と、
　前記上部タンク及び補助タンクからそれぞれ所定角度傾斜しつつ延設され、当該上部タンク及び補助タンクにて貯留された遊技球を自重にて流通させつつ各パチンコ遊技機に補給し得る補給樋と、
を具備するとともに、前記経路は、前記上部タンクの上端より低い位置、且つ、前記島設備のフレームの上端より高い位置に配設されて成るパチンコ遊技機の島設備。」
　の点で一致し、次の点で相違する。
　
　［相違点１］
　遊技球を補助タンクまで流通可能な経路に関し、
　本願発明は、略水平に延設された遊技球の径より若干大きな内径のパイプから成り、内周壁面に遊技球の転がり抵抗を低減する加工が施されて成る流通路を備えているのに対して、
　刊行物発明の第１遠方補給樋４２は、本願発明の流通路に関する上記構成を備えていない点。
　
　［相違点２］
　本願発明は、上部タンク内に配設されるとともに、流通路で流通させる遊技球に対し、補助タンクに向かって力を付与する駆動手段を備えているのに対して、
　刊行物発明の上部タンク２０は、遠方補給経路４０へ直接流下させる分岐路を備えるが、本願発明の駆動手段を備えていない点。
　
６　当審の判断
　相違点１、２は、遊技球を流通させる構成に関するものである点で共通するので、まとめて検討する。
　まず、刊行物２に記載された技術事項について検討する。
　刊行物２に記載された技術事項の「ケース内部に上部タンク３」と「モータ」とを「一体に設け」た全体構成は、本願発明の「上部タンク」が、明細書及び図面の記載によると、収容空間Ｓと駆動手段８とをケース内に設けたもの（【００２３】、【００２４】、【図４】）であることからみて、本願発明の「上部タンク」に対応する。
　そして、刊行物２に記載された技術事項の「フレキシブル管１０」は、「上部タンク３の上端まで立ち上が」り、「隣接する上部タンク３間に水平方向に連接」されるものであるから、設置島１を構成するフレームの上方に水平に設けられたものであるといえる。また、「フレキシブル管１０の内部の玉」は「一列になって揚送」されるものであるから、「フレキシブル管１０」の内径は、玉の外径より若干大きいものであると認められる。したがって、刊行物２に記載された技術事項の「フレキシブル管１０」は、本願発明の表現を用いると、「島設備のフレームの上方で略水平に延設された遊技球の径より若干大きな内径のパイプから成り、上部タンク内の遊技球を隣接する上部タンクまで流通可能な流通路」と言い換えられる。
　また、刊行物２に記載された技術事項の「モータ」は、「フレキシブル管１０の内部の玉」に「スプロケット９」の「回転」力を付与するものであるから、本願発明の「流通路で流通させる遊技球に対し」、「力を付与する駆動手段」に対応する。
　そうすると、刊行物２に記載された技術事項は、本願発明の表現を用いると、次のように言い換えられる。
　「上部タンクと上部タンクとに跨って隣接する島設備のフレームの上方で略水平に延設された遊技球の径より若干大きな内径のパイプから成り、上部タンク内の遊技球を隣接する上部タンクまで流通可能な流通路と、
　上部タンク内に配設されるとともに、流通路で流通させる遊技球に対し、隣接する上部タンクに向かって力を付与する駆動手段と
を具備するパチンコ遊技機の島設備。」
　
　そして、パチンコ遊技機の島設備の技術分野において、隣接する島設備に配設された上部タンク間における遊技球の流通に関する技術事項を、同一の島設備に配設された複数の上部タンク間における遊技球の流通に関する技術事項に置換可能であることは、当業者における技術常識である（例えば、特開２００５−１２５０１４号公報の【０１１３】の「例えば、上記実施例においては、遊技機設置島の前後方向に隣接配置された他の遊技機設置島の上部タンク間が受渡し樋にて連結されていたが、これら受渡し樋は、
遊技機設置島の長手方向に隣接配置された遊技機設置島の上部タンク間が連結されているもの
　
　また、パチンコ遊技機の島設備の技術分野において、略水平に延設され、遊技球の径より若干大きな内径のパイプ内の内周壁面に遊技球の転がり抵抗を低減する加工を施すことにより、遊技球を流通させる駆動力を小さなものとすることは、本願出願前に周知の技術事項である（例えば、特開２００２−１８６７６７号公報の【０００２】、【０００５】、【０００７】、【００１０】の「玉排出口１０から排出されたパチンコ玉Ｐは、前記のように構成したフレキシブルパイプ中に押し込まれることになるが、前記構成のフレキシブルパイプ中においては、パチンコ玉Ｐは４条の突条２、２の内２条の突条により支承されることとなり、
パチンコ玉Ｐと突条２、２との接触面積は極めて小さく
突条２、２の先端を結ぶ内接円の直径とパチンコ玉の直径の差が僅かであることからパチンコ玉が
一列に並ぶこととなる
したがって摩擦抵抗も小さなものとなる
パチンコ玉と管壁との管の抵抗が少ないので玉揚送機１０の負担が軽減され
隣接する設置島間のパチンコ玉の移送にも本発明の蛇腹管と玉揚送機１０との組み合わせを利用することができる
水平に近い状態で使うポジションでは、その移送抵抗を小さくして、スムーズな移送を実現できる
　
　さらに、刊行物発明と刊行物２に記載された技術事項とは、遊技島上部に設けた一方のタンクから他方のタンクに遊技球を流通可能な流通路を具備する点で技術的に共通する。
　また、上記の技術常識を考慮すれば、刊行物２に記載された隣接する島設備のフレーム上方で略水平に延設された流通路に関する技術事項を同一の島設備内の流通路に適用することは可能である。
　したがって、刊行物発明に刊行物２に記載された技術事項を適用する動機付けはあるといえる。
　
　これらのことからみて、刊行物発明における上部タンク２０と遠方補給タンク４６とを接続する第１遠方補給樋４２に、刊行物２に記載された技術事項の流通路を適用すると共に、上部タンク２０の内部に形成されている分岐路の構成に、刊行物２に記載された技術事項の駆動手段を適用することは当業者が容易になし得たものである。
　そして、その際に、上記周知の技術事項を参酌して、流通路における遊技球を流通させる駆動力を小さくすべく、流通路の内周壁面に遊技球の転がり抵抗を低減する加工を施すことは、当業者が適宜なし得たものである。
　
　また、本願発明により奏される「島設備の高さ寸法を十分小さくできる」という効果は、「
遊技島全体の高さを高くする事なく各パチンコ遊技機及び玉貸出機にパチンコ玉の補給を行うことができる
　
　ところで、請求人は、平成２８年１０月２７日付けの意見書において、「ここで、強調したい点は、本願発明は、・・・を具備するものとされている。
　かかる構成においては、略水平に延設された遊技球の径より若干大きな内径のパイプから成る流通路において、駆動手段で力が付与された遊技球を円滑に流通させる必要があることから、本願発明においては、「内周壁面に遊技球の転がり抵抗を低減する加工が施されて成る流通路」とされているのである。一方、引用例１、２には、このような構成について一切開示がなく、これらを組み合わせて本願発明とすることは当業者にとって技術的困難性を有すると思料する。」（第４頁１４〜２９行）と主張する。
　
　しかしながら、本願発明における「略水平に延設された遊技球の径より若干大きな内径のパイプから成る流通路」の構成のうち、流通路の内径に関する構成は、上記（１）において検討したように刊行物２に記載された技術事項から導かれるものである。
　また、本願発明における「略水平に延設された遊技球の径より若干大きな内径のパイプから成る流通路において、駆動手段で力が付与された遊技球を円滑に流通させる」ことの必要性は、上記（２）において説明したように、本願出願前に周知の技術事項である。
　したがって、請求人の上記主張を採用することはできない。  
 　 
７　むすび
　以上のとおりであるから、本願発明は、特許法第２９条第２項の規定により特許を受けることができない。 
　したがって、本願は他の請求項について検討するまでもなく拒絶すべきものである。
　
　よって、結論のとおり審決する。